(57)【要約】      （修正有）【課題】タイヤではなく、回転駆動力の動力源により近い位置に接続された発電機から発電を行なうことができる低速走行用の乗物を提供する。【解決手段】座席を有する車体と、前記車体に設けられた駆動輪を含む複数のタイヤと、駆動輪を回転駆動させる電動モータ２２と、電気を供給するバッテリー１０とを備える。駆動輪の駆動回転軸５１には、副動力伝達部４１が接続され、副動力伝達部４１は発電機４２が接続されている。【選択図】図１
0003188120.tif 000002
【実用新案登録請求の範囲】
【請求項１】
座席を有する車体と、前記車体に設けられた複数のタイヤと、前記複数のタイヤのうち少なくとも一つのタイヤにおける駆動回転軸を回転駆動させる走行用電動モータと、前記走行用電動モータの出力回転軸と前記駆動回転軸との間に配置された主動力伝達部と、前記走行用電動モータに電気を供給するバッテリーと、を備えた低速走行用の乗物において、
前記出力回転軸と前記主動力伝達部と前記駆動回転軸との少なくとも何れか一つに接続された副動力伝達部と、前記副動力伝達部に入力軸が接続された発電機とを備えたことを特徴とする低速走行用の乗物。
【請求項２】
前記副動力伝達部は、前記駆動回転軸に接続されたものであり、且つ、増速装置を備えたものであることを特徴とする請求項１記載の低速走行用の乗物。
【請求項３】
前記バッテリーに接続された充電用発電機と、前記充電用発電機の入力軸を回転させるエンジンとを備え、前記エンジンは前記タイヤを回転させるものではなく、前記エンジンを駆動して前記発電機が発電した電気で、前記バッテリーに充電を行なうものであることを特徴とする低速走行用の乗物。
【考案の詳細な説明】
【技術分野】
【０００１】
本考案は、歩行が困難な高齢者等が乗るのに適する低速走行用の乗物に関するものである。
【背景技術】
【０００２】
高齢化社会が進む中、歩行が困難な高齢者等の移動を可能にするために、特許文献１や２に示すような電動車椅子等の低速走行用の乗物が種々提案されている。これらの乗り物は、充放電可能なバッテリーによってモータを回転させて、これによってタイヤを回転させて、人の歩行速度の時速４キロメートル程度の低速で走行する。
ところが、バッテリーによる一回の充電量には限界があり、一回の充電によって走行できる距離には限りがある。
エンジンによって駆動輪を回転させることも当然可能であるが、エンジン駆動の車両の運転には、運転免許が必要とされる。
また、自転車には、タイヤの回転によって簡易な発電を行なうダイナモと呼ばれる発電機が設けられている場合がある。このダイナモは、タイヤの側部などに対して、入力軸を当接させることによって、発電を行なうものであり、その接触の程度によっては発電にバラツキが生じる場合がある。
【先行技術文献】
【特許文献】
【０００３】
【特許文献１】登録実用新案第３１２４８２５号公報
【特許文献２】特開２００３−２０５００４号号公報
【考案の概要】
【考案が解決しようとする課題】
【０００４】
本考案の課題は、低速走行用の乗物において、タイヤではなく、回転駆動力の動力源により近い位置に接続された発電機から発電を行なうことができるようにすることを課題とする。
また、本考案の第２の課題は、バッテリーを備えた低速走行用の乗物において、バッテリーへの充電の多様化を図ることにある。
【課題を解決するための手段】
【０００５】
本考案は、座席を有する車体と、前記車体に設けられた複数のタイヤと、前記複数のタイヤのうち少なくとも一つのタイヤにおける駆動回転軸を回転駆動させる走行用電動モータと、前記走行用電動モータの出力回転軸と前記駆動回転軸との間に配置された主動力伝達部と、前記走行用電動モータに電気を供給するバッテリーと、を備えた低速走行用の乗物の改良に関するものである。
【０００６】
本考案にあっては、前記出力回転軸と前記主動力伝達部と前記駆動回転軸との少なくとも何れか一つに接続された副動力伝達部と、前記副動力伝達部に接続された発電機とを備えることによって上記の課題を解決する。
前記副動力伝達部は、前記駆動回転軸に接続されたものであり、且つ、増速装置を備えたものであってもよい。
さらに、前記バッテリーに接続された充電用発電機と、前記充電用発電機の入力軸を回転させるエンジンとを備え、前記エンジンは前記タイヤを回転させるものではなく、前記エンジンを駆動して前記発電機が発電した電気で、前記バッテリーに充電を行なうようにすることもできる。
【考案の効果】
【０００７】
本考案は、低速走行用の乗物において、タイヤではなく、回転駆動力の動力源により近い位置に接続された発電機から発電を行なうことができるようにした低速走行用の乗物を提供する事ができたものである。
また、本考案は、バッテリーを備えた低速走行用の乗物において、バッテリーへの充電の多様化を図ることができたものである。
【図面の簡単な説明】
【０００８】
【図１】本考案の実施の形態に係る低速走行用の乗物の駆動系及び充電系の構成説明図である。
【図２】同乗物の斜視図である。
【図３】同乗物の要部説明図である。
【考案を実施するための形態】
【０００９】
以下、図面に基づき本考案の実施の形態を説明する。
【００１０】
この高齢者用の乗り物は、図２に示すように、車体５３に自転車のフレームを改良したものを用い、前輪及び後輪には自転車等のタイヤを備えたものを用いている。車体５３には、１つの後輪である駆動輪５０と、２つの前輪５２とを備え、前輪５２はハンドル５４によって動かされることにより、乗物の進行方向を変えることができる。左右の前輪５２を支持する支持軸の中心に、ハンドル５の軸の下端を接続し、支持軸を動かすことで、両端の左右の前輪５２を動かすようにしてもよいが、ギア機構及びリンク機構を備えた二輪ステアリング機構を採用して、左右の前輪５２のそれぞれを支持軸に対して動かすようにしてもよい。
【００１１】
車体５３の前後方向の略中央には、座席５５が配置されている。この座席５５は、自転車のサドルのようなものであってもよいが、高齢者が着座しやすいような背もたれを有する椅子形状であることが望ましい。この例では、座席５５の下部に、装置収納部５６が配置されており、この装置収納部５６に駆動源などが配置されている。駆動輪５０の駆動回転軸５１は、装置収納部５６内の駆動源によって駆動されるもので、図１に示すようなチェーンなどの主動力伝達部２３によって回転駆動する。
【００１２】
なお、この実施の形態では、ペダルとペダルの回転によって駆動輪５０を回転させるための手段は、不要であるため用いられていないが、これらを残して人力による走行を可能にしておいてもよい。
【００１３】
次に、装置収納部５６内に収納されている駆動装置について、図２を参照して説明する。この駆動装置は、駆動源として走行用電動モータ２１を有する。走行用電動モータ２１の出力回転軸２２と駆動輪５０の駆動輪回転軸５１とが、主動力伝達部２３によって接続されている。
【００１４】
この主動力伝達部２３は、出力回転軸２２に取り付けられたスプロケットと、駆動輪５０の駆動輪回転軸５１に設けられたスプロケットと、両スプロケット間に掛け渡されたチェーンなどを例示することができるが、伝達用の回転軸とギアなどの他の構成であってもよく、出力回転軸２２と駆動輪回転軸５１との間に回転力を伝達できることを条件に適宜変更することができる。
【００１５】
走行用電動モータ２１は、切替部１３を介して、バッテリー１０に接続されており、バッテリー１０から供給される電気によって、走行用電動モータ２１が回転する。この例では、バッテリー１０は、第１バッテリー１１と第２バッテリー１２とを備え、切替部１３によって放電するバッテリーと充電するバッテリーとを切り替え得るように接続されている。
【００１６】
バッテリー１０への充電は、エンジン３１によってなされる。このエンジン３１の出力軸は、主発電機３２の入力軸に接続され、エンジン３１が回転することによって、主発電機３２による発電がなされる。主発電機３２の出力端子は、切替部１３を介して、バッテリー１０に接続され、主発電機３２からの電気によって、第１バッテリー１１と第２バッテリー１２との何れかの充電がなされる。
【００１７】
切替部１３は、第１バッテリー１１と第２バッテリー１２との充放電を切り替えるもので、手動による切替でもよく、自動による切替であってもよい。手動の場合には、第１バッテリー１１と第２バッテリー１２との何れか一方（例えば第１バッテリー１１）の充電量が充分であり、何れか他方（例えば第２バッテリー１２）の充電量が不充分であるとすると、第１バッテリー１１の出力端子を走行用電動モータ２１に接続し、第２バッテリー１２の出力端子と走行用電動モータ２１との接続を切る。第１バッテリー１１及び第２バッテリー１２の各入力端子は、共に主発電機３２に接続した状態とする。エンジン３１を駆動して、主発電機３２から第２バッテリー１２に充電を行なうと共に、第１バッテリー１１からの放電によって、走行用電動モータ２１を回転させる。主発電機３２による第２バッテリー１２への充電が完了すると、エンジン３１の運転を停止する。そして、第１バッテリー１１の充電量が低下すると、第１バッテリー１１の出力端子と走行用電動モータ２１との接続を切り、第２バッテリー１２の出力端子を走行用電動モータ２１に接続し、エンジン３１を駆動して、主発電機３２から第１バッテリー１１に充電を行なう。但し、第１バッテリー１１及び第２バッテリー１２の各入力端子と、主発電機３２とは、常に接続した状態で実施するのではなく、切替部１３による切替によって、第１バッテリー１１及び第２バッテリー１２の各入力端子を、主発電機３２に対して、選択的に接続するものであってもよい。
【００１８】
また、第１バッテリー１１及び第２バッテリー１２は、フロート充電、トリクル充電、イコライズ充電などによる充電方式を備えた回路によって、走行用電動モータ２１及び主発電機３２に接続されたものであってもよく、１台のバッテリーのみで実施することも可能である。
【００１９】
このように、切替部１３は、第１バッテリー１１及び第２バッテリー１２の電気的接続を、走行用電動モータ２１に対して選択的に行なうものであり、またさらに、必要に応じて主発電機３２に対して選択的に行なうようにしてもよい。手動で行なう場合には、切替部１３は、第１バッテリー１１と第２バッテリー１２との走行用電動モータ２１に対する接続を切り替えるためのスイッチと、このスイッチを手動で動かすためのハンドルを備えたものとし、このハンドルを座席５５に座った人の手が届く範囲に設けるようにして実施することが好ましい。
【００２０】
自動で行なう場合には、演算装置による制御部による制御によって、上記の切替部１３による切替がなされる。この場合、制御部に接続された充電監視部によって、第１バッテリー１１と第２バッテリー１２の充電量が監視され、充電量が不充分となったことが検知されると、制御部は切替部１３に対して不充分となる第１バッテリー１１又は第２バッテリー１２の、走行用電動モータ２１に対する接続を、切るように指示する。これと共に、エンジン３１の運転譲許を制御するエンジン制御部を備え、制御部からの指示を受けたエンジン制御部が、エンジン３１の駆動を開始させる。これにより、第１バッテリー１１又は第２バッテリー１２に対する充電が行なわれる。第１バッテリー１１及び第２バッテリー１２の充電が充分になったことが検知されると、制御部はエンジン制御部に対してエンジン３１の駆動を停止するように指示する。
【００２１】
前述した駆動輪５０の駆動回転軸５１には、副動力伝達部４１を介して、副発電機４２が接続されている。より具体的には、図３に示すように、駆動回転軸５１の左側には、前述の走行用電動モータ２１の出力回転軸２２に接続された回転伝達部２３が配置されており、駆動回転軸５１は走行用電動モータ２１の出力回転軸２２によって、回転する。駆動回転軸５１の右側には、副動力伝達部４１が配置されており、駆動回転軸５１の回転によって、副発電機４２の入力軸が回転して発電がなされる。駆動回転軸５１の回転は、比較的低速であるため、副動力伝達部４１は増速ギアなどの増速装置を備えたものであることが望ましい。副発電機４２によって発電された電気は、この車両のライトなどの電気器具４３を作動させるために用いてもよく、切替部１３を介して、バッテリー１０に充電するために用いてもよい。なお、副動力伝達部４１の接続先を、副発電機４２に代えて、主発電機３２の入力軸としてもよい。また、副動力伝達部４１の接続を、前述した駆動輪５０の駆動回転軸５１に対して行なうのではなく、前述の走行用電動モータ２１の出力回転軸２２や、回転伝達部２３に対して行なうものであってもよい。
【００２２】
上記の実施の形態の他、本考案は種々変更して実施することができるものであり、例えば、車体は図示のような自転車のフレームを用いたものの他、専用のフレームにしたり、車椅子の構造を用いたりしたものとしてもよい。安全確保のために、走行速度は時速４キロメートル程度が適当であるが、時速バッテリー１０キロメートル程度以下の低速で搭乗者が自由に調整できるようにしてもよい。
【符号の説明】
【００２３】
１０  バッテリー
１１  第１バッテリー
１２  第２バッテリー
１３  切替部
２１  走行用電動モータ
２２  出力回転軸
２３  回転伝達部
３１  エンジン
３２  主発電機
４１  副動力伝達部
４２  副発電機
４３  電気器具
５０  駆動輪
５１  駆動回転軸
５２  前輪
５３  車体
５４  ハンドル
５５  座席
５６  装置収納部
【図１】
0003188120.tif 000003
【図２】
0003188120.tif 000004
【図３】
0003188120.tif 000005
【手続補正書】
【提出日】平成25年10月23日(2013.10.23)
【手続補正１】
【補正対象書類名】実用新案登録請求の範囲
【補正対象項目名】全文
【補正方法】変更
【補正の内容】
【実用新案登録請求の範囲】
【請求項１】
座席を有する車体と、前記車体に設けられた複数のタイヤと、前記複数のタイヤのうち少なくとも一つのタイヤにおける駆動回転軸を回転駆動させる走行用電動モータと、前記走行用電動モータの出力回転軸と前記駆動回転軸との間に配置された主動力伝達部と、前記走行用電動モータに電気を供給するバッテリーと、を備えた低速走行用の乗物において、
前記出力回転軸と前記主動力伝達部と前記駆動回転軸との少なくとも何れか一つに接続された副動力伝達部と、前記副動力伝達部に入力軸が接続された発電機とを備えたことを特徴とする低速走行用の乗物。
【請求項２】
前記副動力伝達部は、前記駆動回転軸に接続されたものであり、且つ、増速装置を備えたものであることを特徴とする請求項１記載の低速走行用の乗物。
【請求項３】
前記バッテリーに接続された充電用発電機と、前記充電用発電機の入力軸を回転させるエンジンとを備え、前記エンジンは前記タイヤを回転させるものではなく、前記エンジンを駆動して前記充電用発電機が発電した電気で、前記バッテリーに充電を行なうものであることを特徴とする請求項１又は２記載の低速走行用の乗物。